【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
画面を有する画像表示部と、指の接触位置を逐次検出するタッチパネルとを備えたユーザインタフェース装置であって、
当該指により前記タッチパネルに与えられた押圧力を検出する押圧力検出部と、
前記タッチパネルに接触した当該指に対して触覚応答を付与する触覚応答機構部と、
可動部分を有しておりパラメータの値を設定する設定部イメージであって、該可動部分の可動範囲が互いに離隔した複数の設定区域を含む設定部イメージを、前記画像表示部の画面に表示させる設定部イメージ制御手段と、
前記押圧力が所定閾値以上であるか否かを判定する押圧力判定手段と、
当該指の接触位置が前記可動部分の表示位置範囲内に含まれるか否かを判定し、自ら真の判定を行い且つ前記押圧力判定手段が真の判定を行った際、前記設定部イメージ制御手段に、該可動部分を当該指の接触位置に応じた位置に逐次表示させる接触位置判定手段と、
前記接触位置判定手段が真の判定を行い、前記押圧力判定手段が真の判定を行い、且つ前記可動部分のパラメータ値指示位置が前記複数の設定区域のうちの１つの設定区域に対応した位置範囲内に入った際、当該指に対して前記タッチパネルを介して触覚応答を付与すべく前記触覚応答機構部に指示する触覚応答制御手段と、
前記接触位置判定手段が真の判定を行い、前記押圧力判定手段が真の判定を行い、且つ前記可動部分のパラメータ値指示位置が前記複数の設定区域のうちの１つの設定区域に対応した位置範囲内に入った際、前記パラメータを、該１つの設定区域に割り当てられた値に設定するパラメータ設定手段と
を有することを特徴とするユーザインタフェース装置。
【請求項２】
前記接触位置判定手段が真の判定を行い、前記押圧力判定手段が真の判定を行い、且つ前記可動部分のパラメータ値指示位置が前記複数の設定区域のうちの１つの設定区域に対応した位置範囲内に入った際、前記設定部イメージ制御手段は、前記設定部イメージの可動部分が動いて、該可動部分のパラメータ値指示位置が前記１つの設定区域内におけるパラメータ値対応位置と対向するように、該可動部分を表示させることを特徴とする請求項１に記載のユーザインタフェース装置。
【請求項３】
指による操作に対応した音を発生させる操作音発生部と、
前記接触位置判定手段が真の判定を行い、前記押圧力判定手段が真の判定を行い、且つ前記可動部分のパラメータ値指示位置が前記複数の設定区域のうちの１つの設定区域に対応した位置範囲内に入った際、前記可動部分が所定の位置に嵌ったと認識させる音を発生させるべく前記操作音発生部に指示する操作音制御部と
を更に有することを特徴とする請求項１又は２に記載のユーザインタフェース装置。
【請求項４】
前記接触位置判定手段が真の判定を行い、前記押圧力判定手段が真の判定を行い、前記可動部分のパラメータ値指示位置が前記複数の設定区域のうちの１つの設定区域内におけるパラメータ値対応位置と対向しており、且つ該パラメータ値指示位置が当該指の接触位置の移動に応じて移動する際、前記触覚応答制御手段は、当該指に対して前記タッチパネルを介して触覚応答を付与すべく前記触覚応答機構部に指示することを特徴とする請求項１から３のいずれか１項に記載のユーザインタフェース装置。
【請求項５】
前記接触位置判定手段は、当該指の接触位置が前記可動部分の表示位置範囲内に含まれた当初における、当該指の接触位置と該可動部分のパラメータ値指示位置との可動範囲方向での差を決定し、
前記設定部イメージ制御手段は、前記可動部分のパラメータ値指示位置が前記複数の設定区域に対応した位置範囲の外にある場合、当該指の接触位置を前記差だけ変位させた位置を、前記可動部分のパラメータ値指示位置として逐次表示することを特徴とする請求項１から４のいずれか１項に記載のユーザインタフェース装置。
【請求項６】
前記設定部イメージは、スライドスイッチイメージ、ディップスイッチイメージ、若しくはトグルスイッチイメージ、又はダイヤルスイッチイメージ、回転スイッチイメージ、若しくはキースイッチイメージであることを特徴とする請求項１から４のいずれか１項に記載のユーザインタフェース装置。
【請求項７】
画面を有する画像表示部と、指の接触位置を逐次検出するタッチパネルとを備えたユーザインタフェース装置に搭載されたプログラムであって、該ユーザインタフェース装置が、
当該指により前記タッチパネルに与えられた押圧力を検出する押圧力検出部と、
前記タッチパネルに接触した当該指に対して触覚応答を付与する触覚応答機構部と
を備えており、前記プログラムが、
可動部分を有しておりパラメータの値を設定する設定部イメージであって、該可動部分の可動範囲が互いに離隔した複数の設定区域を含む設定部イメージを、前記画像表示部の画面に表示させる設定部イメージ制御手段と、
前記押圧力が所定閾値以上であるか否かを判定する押圧力判定手段と、
当該指の接触位置が前記可動部分の表示位置範囲内に含まれるか否かを判定し、自ら真の判定を行い且つ前記押圧力判定手段が真の判定を行った際、前記設定部イメージ制御手段に、該可動部分を当該指の接触位置に応じた位置に逐次表示させる接触位置判定手段と、
前記接触位置判定手段が真の判定を行い、前記押圧力判定手段が真の判定を行い、且つ前記可動部分のパラメータ値指示位置が前記複数の設定区域のうちの１つの設定区域に対応した位置範囲内に入った際、当該指に対して前記タッチパネルを介して触覚応答を付与すべく前記触覚応答機構部に指示する触覚応答制御手段と、
前記接触位置判定手段が真の判定を行い、前記押圧力判定手段が真の判定を行い、且つ前記可動部分のパラメータ値指示位置が前記複数の設定区域のうちの１つの設定区域に対応した位置範囲内に入った際、前記パラメータを、該１つの設定区域に割り当てられた値に設定するパラメータ設定手段と
してコンピュータを機能させることを特徴とするユーザインタフェース装置用のプログラム。
【請求項８】
画面を有する画像表示部と、指の接触位置を逐次検出するタッチパネルとを備えたユーザインタフェース装置におけるパラメータ設定方法であって、該ユーザインタフェース装置が、
当該指により前記タッチパネルに与えられた押圧力を検出する押圧力検出部と、
前記タッチパネルに接触した当該指に対して触覚応答を付与する触覚応答機構部と
を備えており、前記パラメータ設定方法が、
可動部分を有しておりパラメータの値を設定する設定部イメージであって、該可動部分の可動範囲が互いに離隔した複数の設定区域を含む設定部イメージを、前記画像表示部の画面に表示させる第１のステップと、
前記押圧力が所定閾値以上であるか否かを判定する第２のステップと、
当該指の接触位置が前記可動部分の表示位置範囲内に含まれるか否かを判定し、ここで真の判定が行われ且つ第２のステップで真の判定が行われた際、前記設定部イメージ制御手段に、該可動部分を当該指の接触位置に応じた位置に逐次表示させる第３のステップと、
第２のステップで真の判定が行われ、第３のステップで真の判定が行われ、且つ前記可動部分のパラメータ値指示位置が前記複数の設定区域のうちの１つの設定区域に対応した位置範囲内に入った際、当該指に対して前記タッチパネルを介して触覚応答を付与すべく前記触覚応答機構部に指示する第４のステップと、
第２のステップで真の判定が行われ、第３のステップで真の判定が行われ、且つ前記可動部分のパラメータ値指示位が前記複数の設定区域のうちの１つの設定区域に対応した位置範囲内に入った際、前記パラメータを、該１つの設定区域に割り当てられた値に設定する第５のステップと
を有することを特徴とするパラメータ設定方法。
【手続補正２】
【補正対象書類名】明細書
【補正対象項目名】００１２
【補正方法】変更
【補正の内容】
【００１２】
本発明によれば、画面を有する画像表示部と、指の接触位置を逐次検出するタッチパネルとを備えたユーザインタフェース装置であって、
指によりタッチパネルに与えられた押圧力を検出する押圧力検出部と、
タッチパネルに接触した指に対して触覚応答を付与する触覚応答機構部と、
可動部分を有しておりパラメータの値を設定する設定部イメージであって、この可動部分の可動範囲が互いに離隔した複数の設定区域を含む設定部イメージを、画像表示部の画面に表示させる設定部イメージ制御手段と、
押圧力が所定閾値以上であるか否かを判定する押圧力判定手段と、
指の接触位置が可動部分の表示位置範囲内に含まれるか否かを判定し、自ら真の判定を行い且つ押圧力判定手段が真の判定を行った際、設定部イメージ制御手段に、可動部分を指の接触位置に応じた位置に逐次表示させる接触位置判定手段と、
接触位置判定手段が真の判定を行い、押圧力判定手段が真の判定を行い、且つ可動部分のパラメータ値指示位置が複数の設定区域のうちの１つの設定区域に対応した位置範囲内に入った際、指に対してタッチパネルを介して触覚応答を付与すべく触覚応答機構部に指示する触覚応答制御手段と、
接触位置判定手段が真の判定を行い、押圧力判定手段が真の判定を行い、且つ可動部分のパラメータ値指示位置が複数の設定区域のうちの１つの設定区域に対応した位置範囲内に入った際、パラメータを、この１つの設定区域に割り当てられた値に設定するパラメータ設定手段と
を有するユーザインタフェース装置が提供される。
【手続補正３】
【補正対象書類名】明細書
【補正対象項目名】００１８
【補正方法】変更
【補正の内容】
【００１８】
本発明によれば、さらに、画面を有する画像表示部と、指の接触位置を逐次検出するタッチパネルとを備えたユーザインタフェース装置に搭載されたプログラムであって、このユーザインタフェース装置が、
指によりタッチパネルに与えられた押圧力を検出する押圧力検出部と、
タッチパネルに接触した指に対して触覚応答を付与する触覚応答機構部と
を備えており、このプログラムが、
可動部分を有しておりパラメータの値を設定する設定部イメージであって、可動部分の可動範囲が互いに離隔した複数の設定区域を含む設定部イメージを、画像表示部の画面に表示させる設定部イメージ制御手段と、
押圧力が所定閾値以上であるか否かを判定する押圧力判定手段と、
指の接触位置が可動部分の表示位置範囲内に含まれるか否かを判定し、自ら真の判定を行い且つ押圧力判定手段が真の判定を行った際、設定部イメージ制御手段に、可動部分を指の接触位置に応じた位置に逐次表示させる接触位置判定手段と、
接触位置判定手段が真の判定を行い、押圧力判定手段が真の判定を行い、且つ可動部分のパラメータ値指示位置が複数の設定区域のうちの１つの設定区域に対応した位置範囲内に入った際、指に対してタッチパネルを介して触覚応答を付与すべく触覚応答機構部に指示する触覚応答制御手段と、
接触位置判定手段が真の判定を行い、押圧力判定手段が真の判定を行い、且つ可動部分のパラメータ値指示位置が複数の設定区域のうちの１つの設定区域に対応した位置範囲内に入った際、パラメータを、この１つの設定区域に割り当てられた値に設定するパラメータ設定手段と
してコンピュータを機能させるユーザインタフェース装置用のプログラムが提供される。
【手続補正４】
【補正対象書類名】明細書
【補正対象項目名】００１９
【補正方法】変更
【補正の内容】
【００１９】
本発明によれば、さらにまた、画面を有する画像表示部と、指の接触位置を逐次検出するタッチパネルとを備えたユーザインタフェース装置におけるパラメータ設定方法であって、このユーザインタフェース装置が、
指によりタッチパネルに与えられた押圧力を検出する押圧力検出部と、
タッチパネルに接触した指に対して触覚応答を付与する触覚応答機構部と
を備えており、このパラメータ設定方法が、
可動部分を有しておりパラメータの値を設定する設定部イメージであって、可動部分の可動範囲が互いに離隔した複数の設定区域を含む設定部イメージを、画像表示部の画面に表示させる第１のステップと、
押圧力が所定閾値以上であるか否かを判定する第２のステップと、
指の接触位置が可動部分の表示位置範囲内に含まれるか否かを判定し、ここで真の判定が行われ且つ第２のステップで真の判定が行われた際、設定部イメージ制御手段に、可動部分を指の接触位置に応じた位置に逐次表示させる第３のステップと、
第２のステップで真の判定が行われ、第３のステップで真の判定が行われ、且つ可動部分のパラメータ値指示位置が複数の設定区域のうちの１つの設定区域に対応した位置範囲内に入った際、指に対してタッチパネルを介して触覚応答を付与すべく触覚応答機構部に指示する第４のステップと、
第２のステップで真の判定が行われ、第３のステップで真の判定が行われ、且つ可動部分のパラメータ値指示位が複数の設定区域のうちの１つの設定区域に対応した位置範囲内に入った際、パラメータを、この１つの設定区域に割り当てられた値に設定する第５のステップと
を有するパラメータ設定方法が提供される。